(57)【要約】【課題】複数のモニタ装置を画像出力装置に接続してマルチモニタシステムを構築する作業を容易とする。【解決手段】実施形態のモニタ装置において、第１信号端子は、他のモニタ装置との間で伝送信号路を形成するために設けられ、第２信号端子は、伝送信号路を形成するためにさらに他のモニタ装置の第１信号端子に電気的に接続可能とされている。接続状態判別部は、第１信号端子及び第２信号端子が接続され、第１信号端子と第２信号端子のうち、少なくともいずれか一方を介して形成された伝送信号路上に、自己を含む複数のモニタ装置が接続された場合に、第１信号端子及び第２信号端子の状態に基づいて、伝送信号路上における当該モニタ装置の接続位置を表す接続位置情報を生成する。【選択図】図１
2016102892.tif 000002
【特許請求の範囲】
【請求項１】
モニタ装置の表示画面を複数配置して一つの表示画面を構成するマルチモニタシステムに用いることが可能なモニタ装置であって、
他のモニタ装置との間で伝送信号路を形成するために設けられた第１信号端子と、
前記伝送信号路を形成するためにさらに他のモニタ装置の前記第１信号端子に電気的に接続可能な第２信号端子と、
前記第１信号端子及び前記第２信号端子が接続され、前記第１信号端子と前記第２信号端子のうち、少なくともいずれか一方を介して形成された前記伝送信号路上に、自己を含む複数のモニタ装置が接続された状態で、前記第１信号端子及び前記第２信号端子の状態に基づいて、前記伝送信号路上における当該モニタ装置の接続位置を表す接続位置情報を生成する接続状態判別部と、
を備えたモニタ装置。
【請求項２】
前記接続位置情報は、前記伝送信号路上に接続されたモニタ装置の総数を表す総モニタ数情報と、当該モニタ装置の前記伝送信号路上における接続位置を表すモニタ位置情報と、を含む、
請求項１記載のモニタ装置。
【請求項３】
前記第１信号端子及び前記第２信号端子のうち、信号伝送の下流側に位置する信号端子は、前記接続位置情報を出力する情報出力端子を備える、
請求項１又は請求項２記載のモニタ装置。
【請求項４】
前記第１信号端子及び前記第２信号端子のうち、信号伝送の下流側に位置する信号端子は、前記接続位置情報を生成する処理が完了した旨を通知するための端子を備え、
信号伝送の上流側に位置する信号端子は、前記接続位置情報を生成する処理が完了した旨の通知がなされる端子を備える、
請求項１乃至請求項３のいずれか一項に記載のモニタ装置。
【請求項５】
前記第１信号端子あるいは前記第２信号端子は、他のモニタ装置が接続されていない場合には、他のモニタ装置が接続されている場合とで信号レベルが異なる端子を含み、
前記接続状態判別部は、他のモニタ装置が接続されていないと判別した場合に、前記伝送信号路の両端のいずれか一方に接続されたモニタ装置であると判別する、
請求項１乃至請求項４のいずれか一項に記載のモニタ装置。
【請求項６】
モニタ装置の表示画面をｍ×ｎ個（ｍ、ｎは自然数。ただし、ｍ＝ｎ＝１の場合を除く）配置して一つの表示画面を構成するマルチモニタシステムに用いることが可能なモニタ装置であって、
第１伝送信号路を形成するために設けられた第１信号端子と、
前記第１伝送信号路を形成するために他のモニタ装置の前記第１信号端子に電気的に接続可能な第２信号端子と、
第２伝送信号路を形成するために設けられた第３信号端子と、
前記第２伝送信号路を形成するために他のモニタ装置の前記第１信号端子に電気的に接続可能な第４信号端子と、
前記第１信号端子乃至前記第４信号端子が接続され、前記第１信号端子と前記第２信号端子のうち、少なくともいずれか一方を介して形成された前記第１伝送信号路上に、自己を含むｍ台のモニタ装置が接続された場合に、前記第１信号端子及び前記第２信号端子の状態に基づいて、前記第１伝送信号路上における当該モニタ装置の接続位置を表す第１接続位置情報を生成するとともに、前記第３信号端子と前記第３信号端子のうち、少なくともいずれか一方を介して形成された前記第２伝送信号路上に、自己を含むｎ台のモニタ装置が接続された場合に、前記第３信号端子及び前記第４信号端子の状態に基づいて、前記第２伝送信号路上における当該モニタ装置の接続位置を表す第２接続位置情報を生成する接続状態判別部と、
を備えたモニタ装置。
【請求項７】
前記接続位置情報は、前記伝送信号路上に接続されたモニタ装置の総数を表す総モニタ数情報と、当該モニタ装置の前記伝送信号路上における接続位置を表すモニタ位置情報と、を含む、
請求項６記載のモニタ装置。
【請求項８】
前記第１信号端子乃至前記第４信号端子のうち、信号伝送の下流側に位置するいずれか二つの信号端子から、それぞれが対応する伝送信号路における前記接続位置情報を出力する、
請求項６又は請求項７記載のモニタ装置。
【請求項９】
前記第１信号端子乃至前記第４信号端子のうち、信号伝送の下流側に位置する二つの信号端子は、前記接続位置情報を生成する処理が完了した旨を通知するための端子をそれぞれ備え、
信号伝送の上流側に位置する他の二つの信号端子は、前記接続位置情報を生成する処理が完了した旨の通知がなされる端子をそれぞれ備える、
請求項６乃至請求項８のいずれか一項に記載のモニタ装置。
【請求項１０】
いずれか一方の信号伝送路において、自己が直接接続されている信号伝送の上流側に位置する他のモニタ装置から所定時間経過しても前記接続位置情報を生成する処理が完了した旨の通知がなされなかった場合には、いずれか他方の信号伝送路を介して接続されている他のモニタ装置から前記一方の信号伝送路における前記接続位置情報を取得する、
請求項６乃至請求項９のいずれか一項に記載のモニタ装置。
【請求項１１】
画像出力装置から画像信号が入力される画像端子を備え、
前記接続状態判別部は、前記画像端子を介して前記画像出力装置に対し、前記モニタ位置情報を出力する、
請求項１乃至請求項１０のいずれか一項に記載のモニタ装置。
【請求項１２】
前記接続状態判別部は、当該モニタ装置に対し電源供給がなされる毎に前記接続位置情報の生成処理を行う、
請求項１乃至請求項１１のいずれか一項に記載のモニタ装置。
【請求項１３】
複数のモニタ装置の表示画面を二次元的に配置して一つの表示画面を構成するマルチモニタシステムであって、
ｍ×ｎ個（ｍ、ｎは自然数。ただし、ｍ＝ｎ＝１の場合を除く）の画像信号が入力される画像端子を有するモニタ装置と、
前記ｍ×ｎ個のモニタ装置の画像端子とそれぞれ接続される画像出力端子を備えた画像出力装置と、を備え、
前記モニタ装置は、第１伝送信号路を形成するために設けられた第１信号端子と、
前記第１伝送信号路を形成するために他のモニタ装置の前記第１信号端子に電気的に接続可能な第２信号端子と、
第２伝送信号路を形成するために設けられた第３信号端子と、
前記第２伝送信号路を形成するために他のモニタ装置の前記第１信号端子に電気的に接続可能な第４信号端子と、
前記第１信号端子乃至前記第４信号端子が接続され、前記第１信号端子と前記第２信号端子のうち、少なくともいずれか一方を介して形成された前記第１伝送信号路上に、自己を含むｍ台のモニタ装置が接続された場合に、前記第１信号端子及び前記第２信号端子の状態に基づいて、前記第１伝送信号路上における当該モニタ装置の接続位置を表す第１接続位置情報を生成するとともに、前記第３信号端子と前記第３信号端子のうち、少なくともいずれか一方を介して形成された前記第２伝送信号路上に、自己を含むｎ台のモニタ装置が接続された場合に、前記第３信号端子及び前記第４信号端子の状態に基づいて、前記第２伝送信号路上における当該モニタ装置の接続位置を表す第２接続位置情報を生成する接続状態判別部と、を備え、
前記画像出力装置は、前記第１接続位置情報及び前記第２接続位置情報に基づいて、前記モニタ装置の接続位置に対応する画像信号を出力する、
マルチモニタシステム。
【請求項１４】
モニタ装置の表示画面を複数配置して一つの表示画面を構成するマルチモニタシステムに用いられ、伝送信号路を形成するために設けられた第１信号端子と、前記伝送信号路を形成するために他のモニタ装置の前記第１信号端子に電気的に接続可能な第２信号端子と、を備えたモニタ装置で実行される制御方法であって、
前記第１信号端子及び前記第２信号端子の状態に基づいて、前記伝送信号路上における当該モニタ装置の接続位置を表す接続位置情報を生成する過程と、
生成した前記接続位置情報を前記伝送信号路上で次に接続された他のモニタ装置に通知する過程と、
を備えた制御方法。
【請求項１５】
モニタ装置の表示画面を複数配置して一つの表示画面を構成するマルチモニタシステムに用いられ、伝送信号路を形成するために設けられた第１信号端子と、前記伝送信号路を形成するために他のモニタ装置の前記第１信号端子に電気的に接続可能な第２信号端子と、を備えたモニタ装置をコンピュータにより制御するためのプログラムであって、
前記コンピュータを、
前記第１信号端子及び前記第２信号端子の状態に基づいて、前記伝送信号路上における当該モニタ装置の接続位置を表す接続位置情報を生成する手段と、
生成した前記接続位置情報を前記伝送信号路上で次に接続された他のモニタ装置に通知する手段と、
して機能させるプログラム。
【発明の詳細な説明】
【技術分野】
【０００１】
本発明の実施形態は、モニタ装置、マルチモニタシステム、制御方法及びプログラムに関する。
【背景技術】
【０００２】
従来、大画面の表示システムとして、複数のモニタ（ディスプレイ）装置を上下方向及び左右方向に配置し、画像出力装置において、各モニタに対応する分割画像を出力することで、全体で一つの画面を構成するマルチモニタシステムが知られている。
【先行技術文献】
【特許文献】
【０００３】
【特許文献１】特開２００５−３２１４２７号公報
【発明の概要】
【発明が解決しようとする課題】
【０００４】
しかしながら、従来技術においては、画像出力装置の複数の画像出力端子からそれぞれのモニタ装置に出力される分割画像は、画像出力端子毎に定まっていたため、モニタ装置と画像出力端子との間を接続ケーブルで接続する場合に、モニタ装置の配置位置を明確に把握し、当該モニタ装置に対応する分割画像が出力されるようにする必要があった。
換言すれば、モニタ装置に接続する画像出力端子を間違えてしまうと、正しく映像が表示されなくなる。
このため、複数のモニタ装置を画像出力装置に正しく接続するための作業が煩わしいという問題点があった。
【０００５】
本発明は、上記に鑑みてなされたものであって、複数のモニタ装置を画像出力装置に接続してマルチモニタシステムを構築するにあたって作業を容易とすることが可能なモニタ装置、マルチモニタシステム、制御方法及びプログラムを提供することを目的としている。
【課題を解決するための手段】
【０００６】
実施形態のモニタ装置は、モニタ装置の表示画面を複数配置して一つの表示画面を構成するマルチモニタシステムに用いることが可能なモニタ装置である。
モニタ装置の第１信号端子は、他のモニタ装置との間で伝送信号路を形成するために設けられ、第２信号端子は、伝送信号路を形成するためにさらに他のモニタ装置の第１信号端子に電気的に接続可能とされている。
そして、接続状態判別部は、第１信号端子及び第２信号端子が接続され、第１信号端子と第２信号端子のうち、少なくともいずれか一方を介して形成された伝送信号路上に、自己を含む複数のモニタ装置が接続された場合に、第１信号端子及び第２信号端子の状態に基づいて、伝送信号路上における当該モニタ装置の接続位置を表す接続位置情報を生成する。
【図面の簡単な説明】
【０００７】
【図１】図１は、実施形態のマルチモニタシステムの概要構成ブロック図である。
【図２】図２は、第１実施形態のマルチモニタシステムのモニタ部の正面図である。
【図３】図３は、第１実施形態のモニタ装置の背面図である。
【図４】図４は、実施形態のモニタ装置の概要構成ブロック図である。
【図５】図５は、第１実施形態の接続状態判別部の概要構成ブロック図である。
【図６】図６は、入力回路の概要構成図である。
【図７】図７は、入出力回路の概要構成図である。
【図８】図８は、出力回路の概要構成図である。
【図９】図９は、マルチモニタシステムのモニタ部の背面図である。
【図１０】図１０は、第１実施形態の電源投入時の内部回路の処理フローチャートである。
【図１１】図１１は、モニタシステムと画像出力装置との接続状態の説明図である。
【図１２】図１２は、マルチモニタシステムの表示例の説明図である。
【図１３】図１３は、第２実施形態の接続状態判別部の概要構成ブロック図である。
【図１４】図１４は、第２実施形態の電源投入時の上下方向の信号系統の内部回路の処理フローチャートである。
【図１５】図１５は、第２実施形態の電源投入時の左右方向の信号系統の内部回路の処理フローチャートである。
【図１６】図１６は、画像表示例の説明図である。
【図１７】図１７は、不良モニタ装置の位置を説明する図である。
【図１８】図１８は、表示不具合例の説明図である。
【図１９】図１９は、第２実施形態の表示例の説明図である。
【発明を実施するための形態】
【０００８】
次に図面を参照して実施形態について詳細に説明する。
［１］第１実施形態
図１は、実施形態のマルチモニタシステムの概要構成ブロック図である。
マルチモニタシステム１０は、ｎ×ｍ（ｎ：自然数、ｍ：自然数、ただし、ｎ＝ｍ＝１の場合を除く）個のモニタ装置１１−１１〜１１ｎｍと、モニタ装置１１−１１〜１１ｎｍに画像信号をそれぞれ出力する画像出力装置１２と、を備えている。
上記構成において、モニタ装置１１−１１〜１１ｎｍは、モニタ部１１Ｘを構成している。
以下の説明においては、説明の簡略化のため、ｎ＝ｍ＝３の場合について説明する。
【０００９】
図２は、第１実施形態のマルチモニタシステムのモニタ部の正面図である。
モニタ部１１Ｘは、３×３個のモニタ装置１１−１１〜１１−３３を備えている。
図２中に矢印で示すように、モニタ装置１１−１１〜１１−３３の配置方向に沿って、上下方向及び左右方向を定義する。
【００１０】
図３は、第１実施形態のモニタ装置の背面図である。
モニタ装置１１−１１〜１１−３３は、同一構成であるので、モニタ装置１１-１１を例として説明する。
【００１１】
モニタ装置１１−１１の背面には、モニタ装置の配置検出用の端子として、モニタ装置１１−１１の背面上部の中央部に設けられた上端子ＴＵと、モニタ装置１１−１１の背面下部の中央部に設けられた下端子ＴＤと、モニタ装置１１−１１の背面右部の中央部に設けられた右端子ＴＲと、モニタ装置１１−１１の背面左部の中央部に設けられた左端子ＴＬと、が設けられている。
【００１２】
さらにモニタ装置１１−１１の背面中央部には、画像出力装置１２から画像信号が入力されるとともに、画像出力装置１２との間で画像入力のための通信を行う画像入力端子ＴＧが設けられている。
【００１３】
図４は、実施形態のモニタ装置の概要構成ブロック図である。
モニタ装置１１−１１は、上端子ＴＵ、下端子ＴＤ、右端子ＴＲ及び左端子ＴＬが接続され、当該モニタ装置１１−１１のマルチモニタシステム１０のモニタ部１１Ｘにおける接続状態を判別する接続状態判別部２１と、接続状態判別部２１の判別結果を画像入力端子ＴＧを介して画像出力装置１２に通知するとともに、画像出力装置１２から入力された画像信号に基づいて、ディスプレイパネルに画像表示を行う画像処理部２２と、を備えている。
【００１４】
図５は、第１実施形態の接続状態判別部の概要構成ブロック図である。
接続状態判別部２１は、大別すると、内部回路３１と、複数の入力回路ＣＡと、複数の入出力回路ＣＢと、複数の出力回路ＣＣと、を備えている。
【００１５】
内部回路３１は、いわゆるマイクロコンピュータとして構成されており、内部回路３１全体を制御するＭＰＵ４１と、制御プログラムを含む各種データを不揮発的に記憶するＲＯＭ４２と、各種データを一時的に記憶し、ＭＰＵ４１のワークエリアとしても機能するＲＡＭ４３と、画像処理部２２との間で通信を行う通信インタフェース（ＩＦ）４４と、上端子ＴＵ、下端子ＴＤ、右端子ＴＲ及び左端子ＴＬを構成している各端子を介した入出力インタフェース動作を行う入出力インタフェース（ＩＦ）４５と、を備えている。
【００１６】
ここで、入力回路ＣＡ、入出力回路ＣＢ及び出力回路ＣＣの説明に先立ち、上端子ＴＵ、下端子ＴＤ、右端子ＴＲ及び左端子ＴＬを構成している各端子について説明する。
この場合において、上端子ＴＵと右端子ＴＲは、同一構成であり、下端子ＴＤと左端子ＴＬは、同一構成であるので、以下、それぞれをまとめて説明する。
【００１７】
上端子ＴＵ及び右端子ＴＲは、それぞれ、端子番号＝０１のｉｎ−ｆｉｘ端子ＩＦと、端子番号＝０２のｉｎ―ｂｉｔ０端子ＩＢ０と、端子番号＝０３のｉｎ―ｂｉｔ１端子ＩＢ１と、端子番号＝０４のｉｎ―ｂｉｔ２端子ＩＢ２と、端子番号＝０５のｉｎ―ｂｉｔ３端子ＩＢ３と、端子番号＝０６のｍａｘ−ｂｉｔ０端子ＭＢ０と、端子番号＝０７のｍａｘ−ｂｉｔ１端子ＭＢ１と、端子番号＝０８のｍａｘ−ｂｉｔ２端子ＭＢ２と、端子番号＝０９のｍａｘ−ｂｉｔ３端子ＭＢ３と、端子番号＝１０のｍａｘ−ｆｉｘ端子ＭＦと、端子番号１１のグランド（ＧＮＤ）端子ＧＮと、を備えている。
【００１８】
下端子ＴＤ及び左端子ＴＬは、それぞれ、端子番号＝０１のｏｕｔ−ｆｉｘ端子ＯＦと、端子番号＝０２のｏｕｔ―ｂｉｔ０端子ＯＢ０と、端子番号＝０３のｏｕｔ―ｂｉｔ１端子ＯＢ１と、端子番号＝０４のｏｕｔ―ｂｉｔ２端子ＯＢ２と、端子番号＝０５のｏｕｔ―ｂｉｔ３端子ＯＢ３と、端子番号＝０６のｍａｘ−ｂｉｔ０端子ＭＢ０と、端子番号＝０７のｍａｘ−ｂｉｔ１端子ＭＢ１と、端子番号＝０８のｍａｘ−ｂｉｔ２端子ＭＢ２と、端子番号＝０９のｍａｘ−ｂｉｔ３端子ＭＢ３と、端子番号＝１０のｍａｘ−ｆｉｘ端子ＭＦと、端子番号１１のｉｎ−ｎｅｘｔ端子ＩＮＸと、を備えている。
【００１９】
そして、上端子ＴＵ及び右端子ＴＲの端子番号＝０１のｉｎ−ｆｉｘ端子ＩＦ、端子番号＝０２のｉｎ―ｂｉｔ０端子ＩＢ０、端子番号＝０３のｉｎ―ｂｉｔ１端子ＩＢ１、端子番号＝０４のｉｎ―ｂｉｔ２端子ＩＢ２及び端子番号＝０５のｉｎ―ｂｉｔ３端子ＩＢ３には、それぞれ、入力回路ＣＡが接続されている。
【００２０】
また、上端子ＴＵ及び右端子ＴＲの端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２、端子番号＝０９のｍａｘ−ｂｉｔ３端子ＭＢ３及び端子番号＝１０のｍａｘ−ｆｉｘ端子ＭＦには、それぞれ、入出力回路ＣＢが接続されている。
また、端子番号１１のグランド（ＧＮＤ）端子ＧＮは、接地されている。
【００２１】
一方、下端子ＴＤ及び左端子ＴＬの端子番号＝０１のｏｕｔ−ｆｉｘ端子ＯＦ、端子番号＝０２のｏｕｔ―ｂｉｔ０端子ＯＢ０、端子番号＝０３のｏｕｔ―ｂｉｔ１端子ＯＢ１、端子番号＝０４のｏｕｔ―ｂｉｔ２端子ＯＢ２及び端子番号＝０５のｏｕｔ―ｂｉｔ３端子ＯＢ３には、それぞれ、入出力回路ＣＢが接続されている。
【００２２】
また、下端子ＴＤ及び左端子ＴＬの端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２、端子番号＝０９のｍａｘ−ｂｉｔ３端子ＭＢ３、端子番号＝１０のｍａｘ−ｆｉｘ端子ＭＦには、それぞれ、入出力回路ＣＢが接続されている。
また、端子番号１１のｉｎ−ｎｅｘｔ端子ＩＮＸには、入力回路ＣＡが接続されている。
【００２３】
次に入力回路ＣＡの構成について説明する。
図６は、入力回路の概要構成図である。
入力回路ＣＡは、一端が高電位側電源ＶＣＣに接続されたプルアップ抵抗５１と、上述した上端子ＴＵ、下端子ＴＤ、右端子ＴＲあるいは左端子ＴＬを構成している対応する端子が接続される入力端子Ｔｉｎにプルアップ抵抗５１の他端が接続され、出力端子が内部回路３１の入出力インタフェース（ＩＦ）４５に接続されたバッファ回路５２と、を備えている。
【００２４】
従って、入力回路ＣＡの出力は、入力端子Ｔｉｎに何も接続されていない場合及び“Ｈ”レベルの信号が入力された場合に、“Ｈ”レベルとなる。また、入力回路ＣＡの出力は、入力端子Ｔｉｎに“Ｌ”レベルの信号が入力された場合に、“Ｌ”レベルとなる。
【００２５】
次に入出力回路ＣＢの構成について説明する。
図７は、入出力回路の概要構成図である。
入出力回路ＣＢは、一端が高電位側電源ＶＣＣに接続されたプルアップ抵抗５３と、上述した上端子ＴＵ、下端子ＴＤ、右端子ＴＲあるいは左端子ＴＬを構成している対応する端子が接続される入出力端子Ｔｉｏにプルアップ抵抗５３の他端が接続され、出力端子が内部回路３１の入出力インタフェース（ＩＦ）４５に接続された第１バッファ回路５４と、入力端子及びイネーブル（enable）端子が出力インタフェース（ＩＦ）４５に接続され、出力端子が入出力端子Ｔｉｏに接続された第２バッファ回路５５を備えている。
【００２６】
この場合において、イネーブル端子に入力されるイネーブル信号ＥＮがディスエーブル（disable）状態である場合には、第２バッファ回路５５が実効的に存在しない回路、すなわち、入力回路ＣＡと等価な回路となり、入出力端子Ｔｉｏが入力端子Ｔｉｎと同様に機能して、同様の動作を行う。
【００２７】
一方、入出力回路ＣＢは、イネーブル端子に入力されるイネーブル信号ＥＮがイネーブル（enable）状態である場合には、入出力端子Ｔｉｏは、出力端子として機能し、第２バッファ回路５５の入力端子に“Ｈ”レベルの信号が入力された場合に、入出力端子Ｔｉｏは、“Ｈ”レベルを出力し、第２バッファ回路５５の入力端子に“Ｌ”レベルの信号が入力された場合に、入出力端子Ｔｉｏは、“Ｌ”レベルを出力する。
【００２８】
次に出力回路ＣＣの構成について説明する。
図８は、出力回路の概要構成図である。
出力回路ＣＣは、上述した上端子ＴＵ、下端子ＴＤ、右端子ＴＲあるいは左端子ＴＬを構成している対応する端子が接続される出力端子Ｔｏｕｔを有し、出力端子が内部回路３１の入出力インタフェース（ＩＦ）４５に接続されたバッファ回路５６を備えている。
【００２９】
従って、出力端子Ｔｏｕｔから出力される出力回路ＣＣの出力は、内部回路３１から“Ｈ”レベルの信号が入力された場合に、“Ｈ”レベルとなる。また、出力端子Ｔｏｕｔから出力され出力回路ＣＣの出力は、内部回路３１から“Ｌ”レベルの信号が入力された場合に、“Ｌ”レベルとなる。
【００３０】
図９は、マルチモニタシステムのモニタ部の背面図である。
モニタ部１１Ｘの背面には、上下方向あるいは左右方向に隣接するモニタ装置１１−１１〜１１−３３の近接配置された上端子ＴＵと下端子ＴＤ同士が接続ケーブルＣＮを介して接続され、あるいは、近接された右端子ＴＲと左端子ＴＬ同士が接続ケーブルＣＮを介して接続されている。
【００３１】
この場合において、接続ケーブルが接続されている下端子ＴＤ及び左端子ＴＬは、基本的には、出力端子として機能している。また接続ケーブルが接続されている上端子ＴＵ及び右端子ＴＲは、入力端子として機能している。
【００３２】
具体的には、モニタ装置１１−１１の下端子ＴＤは、モニタ装置１１−１２に信号を出力する出力端子として機能し、モニタ装置１１−１１に対して下方に隣接配置されたモニタ装置１１−１２の上端子ＴＵは、モニタ装置１１−１１からの信号を入力する入力端子として機能している。
【００３３】
また、モニタ装置１１−１の左端子ＴＬは、モニタ装置１１−２１に対応する出力端子として機能し、モニタ装置１１−１１に対して、左方に隣接配置されたモニタ装置１１−２１の右端子ＴＲは、モニタ装置１１−１１からの信号を入力する入力端子として機能している。
【００３４】
次に第１実施形態のマルチモニタシステム１０の電源投入時の動作について説明する。
この場合において、接続ケーブルＣＮで互いに接続された上端子ＴＵと下端子ＴＤとにおいては、接続された端子番号が同一となるように接続されている。同様に、接続ケーブルＣＮで互いに接続された右端子ＴＲと左端子ＴＬとにおいては、接続された端子番号が同一となるように接続されている。
【００３５】
図１０は、第１実施形態の電源投入時の内部回路の処理フローチャートである。
この処理フローチャートによる処理は、下端子ＴＤ及び上端子ＴＵを介して接続ケーブルＣＮで直列に接続された複数のモニタ装置間の信号系統（上下信号系統）と、左端子ＴＬ及び右端子ＴＲを介して接続ケーブルＣＮで直列に接続された複数のモニタ装置間の信号系統（左右信号系統）と、でそれぞれ独立して行われる。
【００３６】
そして、それぞれの処理の結果、各モニタ装置が、モニタ部１１Ｘを正面から見た場合に、上下方向の配置位置（本実施形態では、上側が第１番目）及び上下方向のモニタ装置数（上述のｍに相当）並びに左右方向の配置位置（本実施形態では、右側が第１番目）及び左右方向のモニタ装置数（上述のｎに相当）が得られることとなる。
【００３７】
なお、以下の説明において、信号系統における「上流側」とは、上下方向においては、あるモニタ装置に対して上側に配置されているモニタ装置側の信号系統をいい、左右方向においては、あるモニタ装置に対して右側に配置されているモニタ装置側の信号系統をいうものとする。
【００３８】
まず内部回路３１のＭＰＵ４１は、初期化処理を行う（ステップＳ１１）。
初期化処理として、ＭＰＵ４１は、入出力ＩＦ４５を介して対応する第２出力回路ＣＣを制御し、下端子ＴＤ及び左端子ＴＬの端子番号＝０１のｏｕｔ−ｆｉｘ端子ＯＦ＝“Ｌ”レベルにセットする。
また、ＭＰＵ４１は、初期化処理として、入出力ＩＦ４５を介して対応する第２出力回路ＣＣを制御し、端子番号＝０２のｏｕｔ―ｂｉｔ０端子ＯＢ０、端子番号＝０３のｏｕｔ―ｂｉｔ１端子ＯＢ１、端子番号＝０４のｏｕｔ―ｂｉｔ２端子ＯＢ２及び端子番号＝０５のｏｕｔ―ｂｉｔ３端子ＯＢ３を“Ｌ” レベルにセットする。
さらにＭＰＵ４１は、初期化処理として、入出力ＩＦ４５を介してイネーブル信号ＥＮをディスエーブルとする。
【００３９】
続いて、ＭＰＵ４１は、上端子ＴＵ及び右端子ＴＲのそれぞれについて、端子番号＝０１のｉｎ−ｆｉｘ端子ＩＦが“Ｈ”レベルであるか否かを判別する（ステップＳ１２）。
これは、初期化処理において、他のモニタ装置に接続されている場合には、下端子ＴＤ及び左端子ＴＬの端子番号＝０１のｏｕｔ−ｆｉｘ端子ＯＦ＝“Ｌ”レベルにセットされているので、端子番号＝０１のｉｎ−ｆｉｘ端子ＩＦが“Ｌ”レベルであるということは、当該モニタ装置より信号系統の上流側にモニタ装置が接続されていると言うことである。
【００４０】
したがって、端子番号＝０１のｉｎ−ｆｉｘ端子ＩＦが“Ｌ”レベルである内部回路３１のＭＰＵ４１は（ステップＳ１２；Ｎｏ）、ｉｎ−ｆｉｘ端子ＩＦが“Ｈ”レベルとなるまで接続状態判別を行わずに待機することとなる。
【００４１】
一方、モニタ装置のＭＰＵ４１は、端子番号＝０１のｉｎ−ｆｉｘ端子ＩＦが“Ｈ”レベルとなると（ステップＳ１２；Ｙｅｓ）、端子番号＝０２のｉｎ―ｂｉｔ０端子ＩＢ０、端子番号＝０３のｉｎ―ｂｉｔ１端子ＩＢ１、端子番号＝０４のｉｎ―ｂｉｔ２端子ＩＢ２及び端子番号＝０５のｉｎ―ｂｉｔ３端子ＩＢ３の信号レベルを、入力回路ＣＡを介してそれぞれ取得し、ＲＡＭ上の内部ｉｎ−ｂｉｔデータ格納領域に対応する値（“Ｈ”ならば“１”、“Ｌ”ならば“０”）をセット（格納）する（ステップＳ１３）。
【００４２】
ここで、ＲＡＭ上の内部ｉｎ−ｂｉｔデータ格納領域に対応する値は、４つ合わせて４ビットの値（二進数）を表しており、０〜１５迄の値を表すこととなる。この値は、自己のモニタの上流側に直列に接続されているモニタ装置数に相当するようにされている。
【００４３】
ところで、最も信号伝送路の上流側に位置するモニタ装置の場合には、さらに上流側にはモニタ装置が接続されていないため、４つの入力回路ＣＡの出力値は全て“Ｈ”となる。
そこで、モニタ装置のＭＰＵ４１は、内部ｉｎ−ｂｉｔデータ格納領域に格納されている値が全て“１”、すなわち、内部ｉｎ−ｂｉｔデータ格納領域に格納されている値が“１１１１”であるか否かを判別する（ステップＳ１４）。すなわち、自己が最も上流側に接続されたモニタ装置であるか否かを判別する。
【００４４】
そして、ステップＳ１４の判別において、内部ｉｎ−ｂｉｔデータ格納領域に格納されている値が全て“１”である場合には（ステップＳ１４；Ｙｅｓ）、自己のモニタの上流側に直列に接続されているモニタ装置数が０台であるので、内部ｉｎ−ｂｉｔデータ格納領域に格納されている値を“００００”として（ステップＳ１５）、処理をステップＳ１６に移行する。
【００４５】
これに対して、ステップＳ１４の判別において、内部ｉｎ−ｂｉｔデータ格納領域に格納されている値が全て“１”ではない場合には（ステップＳ１４；Ｎｏ）、内部回路３１のＭＰＵ４１は、内部ｉｎ−ｂｉｔデータ格納領域に格納されている値に１を加算する（ステップＳ１６）。この結果、各モニタ装置の内部ｉｎ−ｂｉｔデータ格納領域に格納されている値は、自己のモニタ装置が上流側で何番目に相当するのかを示す値となる。
【００４６】
具体的には、最も上流側のモニタ装置の内部ｉｎ−ｂｉｔデータ格納領域に格納されている値＝“０００１”（１台目に相当）となり、上流側から数えて３番目のモニタ装置の内部ｉｎ−ｂｉｔデータ格納領域に格納されている値＝“００１１”（３台目に相当）となる。
【００４７】
次に内部回路３１のＭＰＵ４１は、自己の処理（接続位置情報生成処理）が完了したことを信号伝送路の下流側に接続されているモニタ装置に通知するため、下流側のモニタ装置の端子番号＝０１のｉｎ−ｆｉｘ端子ＩＦに接続されている端子番号０１のｏｕｔ−ｆｉｘ端子ＯＦの信号レベルを出力回路ＣＣを介して“Ｈ”レベルとする（ステップＳ１７）。この結果、対応する下流側のモニタ装置のＭＰＵ４１は、上述したステップＳ１２の判別結果がＹｅｓとなり、処理を開始することとなる。
【００４８】
続いて内部回路３１のＭＰＵ４１は、下流側のモニタ装置が接続される可能性がある端子番号＝１１のｉｎ−ｎｅｘｔ端子ＩＮＸが“Ｈ”レベルか否かを判別する（ステップＳ１８）。すなわち、自己が最も下流側に位置するモニタ装置か否かを判別する。具体的には、自己よりも下流側に他の装置が接続されている場合、端子番号＝１１のｉｎ−ｎｅｘｔ端子ＩＮＸは、他のモニタ装置の端子番号＝１１のグランド（ＧＮＤ）端子ＧＮと接続されるため、“Ｌ”レベルとなるはずだからである。
【００４９】
ステップＳ１８の判別において端子番号＝１１のｉｎ−ｎｅｘｔ端子ＩＮＸが“Ｈ”レベルである場合には（ステップＳ１８；Ｙｅｓ）、内部回路３１のＭＰＵ４１は、自己が最下流側のモニタ装置であるので、当該信号系統におけるモニタ装置の全数が把握できたものとして、内部ｉｎ−ｂｉｔデータ格納領域に格納されている値を、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３にそれぞれ対応する１ｂｉｔを設定する（ステップＳ１９）。
【００５０】
具体的には、モニタ装置１１−３１は、モニタ装置１１−１１を最上流側のモニタ装置とすると、内部ｉｎ−ｂｉｔデータ格納領域に格納されている値＝“００１１”であるので、端子番号＝０６のｍａｘ−ｂｉｔ０端子ＭＢ０＝“０”、端子番号＝０７のｍａｘ−ｂｉｔ１端子ＭＢ１＝“０”、端子番号＝０８のｍａｘ−ｂｉｔ２端子ＭＢ２＝“Ｈ”、端子番号＝０９のｍａｘ−ｂｉｔ３端子ＭＢ３＝“Ｈ”とする。
【００５１】
続いて、内部回路３１のＭＰＵ４１は、当該信号系統におけるモニタ装置の接続台数のカウント処理が終了したことを示すために、端子番号＝１０のｍａｘ−ｆｉｘ端子ＭＦ＝“Ｌ”とする（ステップＳ２０）。なお、この時点では、イネーブル信号ＥＮがディスエーブルのため、端子番号＝１０のｍａｘ−ｆｉｘ端子ＭＦは、出力禁止状態となっている。
そして、モニタ装置のＭＰＵ４１は、イネーブル信号ＥＮをイネーブルにセットし（ステップＳ２１）、処理をステップＳ２４に移行する。
この結果、端子番号＝１０のｍａｘ−ｆｉｘ端子ＭＦは、出力許可状態となり、ステップＳで設定された“Ｌ”レベルの信号が出力される。
【００５２】
一方、ステップＳ１８の判別において端子番号１１のｉｎ−ｎｅｘｔ端子ＩＮＸが“Ｌ”レベルである場合には（ステップＳ１８；Ｎｏ）、当該内部回路３１が設けられたモニタ装置は、信号系統の下流側に他のモニタ装置が接続されていることを示しているので、内部回路３１のＭＰＵ４１は、全ての下流側に接続された全ての他の当該信号系統におけるモニタ装置の接続台数のカウント処理中であるか否かを判別するために、端子番号＝１０のｍａｘ−ｆｉｘ端子ＭＦ＝“Ｈ”であるか否かを判別する（ステップＳ２２）。
ステップＳ２２の判別において、端子番号＝１０のｍａｘ−ｆｉｘ端子ＭＦ＝“Ｈ”である場合には（ステップＳ２２；Ｙｅｓ）、内部回路３１のＭＰＵ４１は、下流側に接続された全ての他のモニタ装置のうちいずれかが、当該信号系統におけるモニタ装置の接続台数のカウント処理中であるので待機状態となる。
【００５３】
一方、ステップＳ２２の判別において、端子番号＝１０のｍａｘ−ｆｉｘ端子ＭＦ＝“Ｌ”である場合には（ステップＳ２２；Ｎｏ）、下流側に接続された全ての他のモニタ装置について当該信号系統におけるモニタ装置の接続台数のカウント処理が終了したということであるので、内部回路３１のＭＰＵ４１は、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３の信号レベルを、入出力回路ＣＢを介してそれぞれ取得し、ＲＡＭ上のｍａｘ−ｂｉｔデータ格納領域に対応する値（“Ｈ”ならば“１”、“Ｌ”ならば“０”）をセット（格納）する（ステップＳ２３）。
【００５４】
そして、内部回路３１のＭＰＵ４１は、内部ｍａｘ−ｂｉｔデータ格納領域に格納した内部ｍａｘ−ｂｉｔデータに対応する値を総モニタ数データとし、内部ｉｎ−ｂｉｔデータ格納領域に格納した内部ｉｎ−ｂｉｔデータに対応する値をモニタ位置データとして、通信ＩＦ４４、画像処理部２２及び画像入力端子ＴＧを介して画像出力装置に伝送（出力）する（ステップＳ２４）。
【００５５】
例えば、図２の例の場合、モニタ装置１１−１３は、上下方向の信号系統について、総モニタ数データ＝２（３台）、モニタ位置データ＝３（下端に相当）を送出し、左右方向の信号系統については、総モニタ数データ＝２（３台）、モニタ位置データ＝１（右端に相当）を送出する。
このとき、モニタ装置１１−１３は、画像出力装置１２に対し画像入力端子ＴＧを介して、上下方向の信号系統について、総モニタ数データ＝２（３台）、モニタ位置データ＝２（下端に相当）を送出し、左右方向の信号系統については、総モニタ数データ＝２（３台）、モニタ位置データ＝０（右端に相当）を送出することとなる。
【００５６】
この結果、画像出力装置１２は、総モニタ数データ及びモニタ位置データが入力された画像入力端子ＴＧに対して、対応する表示画像の位置を確定し、当該画像入力端子ＴＧに対して対応する画像データを出力することとなる。
【００５７】
図１１は、モニタシステムと画像出力装置との接続状態の説明図である。
したがって、画像出力装置１２は、自己の画像出力端子ＴＧ１〜ＴＧ１０に対して予めモニタ装置１１−１１〜１１−３３のいずれを接続するかを予め定めることなく、画像ケーブルＧＣの接続先を任意としても、画像ケーブルＧＣを介して画像出力端子ＴＧ１〜ＴＧ１０のそれぞれについて対応するモニタ装置１１−１１〜１１−３３により出力されるモニタ総数データ及びモニタ位置データに基づいて、対応する画像データを出力することができる。なお、図１１においては、画像出力端子ＴＧ１０が空き状態となっているが、モニタ部１１Ｘが３×３画面構成の場合、画像出力端子ＴＧ１〜ＴＧ１０のうち、いずれを空き状態とすることも可能である。
【００５８】
図１２は、マルチモニタシステムの表示例の説明図である。
したがって、それぞれの処理の結果、各モニタ装置１１−１１〜１１−３３が、モニタ部１１Ｘを正面から見た場合に、上下方向の配置位置（本実施形態では、上側が第１番目）及び上下方向のモニタ装置数（上述のｍに相当）並びに左右方向の配置位置（本実施形態では、右側が第１番目）及び左右方向のモニタ装置数（上述のｎに相当）が得られることとなり、図１１に示したように、モニタ装置１１−１１〜１１−３３のいずれを接続するかを予め定めることなく、画像ケーブルＧＣの接続先を任意として画像出力装置１２の画像出力端子ＴＧ１〜ＴＧ１０に接続したとしても、マルチモニタシステム１０は、ｍ×ｎ個（図１２の例の場合、３×３＝９個）のモニタ装置１１−１１〜１１−３３を備えていることを自動的に把握し、正しい画像（図１２の場合、三角形、四角形、円が表示された画像）が表示される。
【００５９】
以上の説明のように、第１実施形態によれば、画像出力装置は、複数のモニタ装置の表示画面を配置して一つの表示画面を形成するに際して、複数のモニタ装置（の表示画面）の配置を自動的に取得して、対応する画像を出力できるので、複数のモニタ装置を画像出力装置に接続してマルチモニタシステムを構築する作業を容易とすることができる。
【００６０】
［２］第２実施形態
図１３は、第２実施形態の接続状態判別部の概要構成ブロック図である。
図１３において、図５の第１実施形態と同様の部分には同一の符号を付し、詳細な説明を援用する。
【００６１】
第２実施形態の接続状態判別部２１が第１実施形態の接続状態判別部２１と異なる点は、上端子ＴＵ及び右端子ＴＲにおいて、第１実施形態の上端子ＴＵ及び右端子ＴＲと異なる点は、端子番号＝１２のｏｕｔ−ｏｔｈｅｒ＿ｒｅｑ端子ＯＯＲ及び端子番号＝１３のｉｎ−ｏｔｈｅｒ＿ｆｉｘ端子ＩＯＦが追加されている点である。
【００６２】
また下端子ＴＤ及び左端子ＴＬにおいて、第１実施形態の下端子ＴＤ及び右端子ＴＲと異なる点は、端子番号＝１２のｉｎ−ｏｔｈｅｒ＿ｒｅｑ端子ＩＯＲ及び端子番号＝１３のｏｕｔ−ｏｔｈｅｒ＿ｆｉｘ端子ＯＯＦが追加されている点である。
【００６３】
上記構成において、上端子ＴＵ及び右端子ＴＲの端子番号＝１２のｏｕｔ−ｏｔｈｅｒ＿ｒｅｑ端子ＯＯＲ並びに下端子ＴＤ及び左端子ＴＬの端子番号＝１３のｏｕｔ−ｏｔｈｅｒ＿ｆｉｘ端子ＯＯＦには、第２出力回路ＣＣが接続されている。
【００６４】
また、上端子ＴＵ及び右端子ＴＲの端子番号＝１３のｉｎ−ｏｔｈｅｒ＿ｆｉｘ端子ＩＯＦ並びに下端子ＴＤ及び左端子ＴＬの端子番号＝１２のｉｎ−ｏｔｈｅｒ＿ｒｅｑ端子ＩＯＲには、第１出力回路ＣＡが接続されている。
【００６５】
次に第２実施形態のマルチモニタシステム１０の電源投入時の動作について説明する。
この場合において、接続ケーブルＣＮで互いに接続された上端子ＴＵと下端子ＴＤとにおいては、接続された端子番号が同一となるように接続されている。同様に、接続ケーブルＣＮで互いに接続された右端子ＴＲと左端子ＴＬとにおいては、接続された端子番号が同一となるように接続されている。
【００６６】
図１４は、第２実施形態の電源投入時の上下方向の信号系統の内部回路の処理フローチャートである。
図１５は、第２実施形態の電源投入時の左右方向の信号系統の内部回路の処理フローチャートである。
これらの処理フローチャートによる処理は、原則的には同時並行して行われるが、一方の処理が他方の処理に影響を与える場合もある。
まず上下方向の信号系統の内部回路の処理について図１３及び図１４を参照して説明する。
【００６７】
まず内部回路３１のＭＰＵ４１は、上下方向の信号系統の処理において、初期化処理を行う（ステップＳ３１）。
初期化処理として、ＭＰＵ４１は、入出力ＩＦ４５を介して対応する第２出力回路ＣＣを制御し、下端子ＴＤの端子番号＝０１のｏｕｔ−ｆｉｘ端子ＯＦ＝“Ｌ”レベルにセットする。
【００６８】
また、ＭＰＵ４１は、初期化処理として、入出力ＩＦ４５を介して対応する第２出力回路ＣＣを制御し、下端子ＴＤの端子番号＝０２のｏｕｔ―ｂｉｔ０端子ＯＢ０、端子番号＝０３のｏｕｔ―ｂｉｔ１端子ＯＢ１、端子番号＝０４のｏｕｔ―ｂｉｔ２端子ＯＢ２及び端子番号＝０５のｏｕｔ―ｂｉｔ３端子ＯＢ３を“Ｌ” レベルにセットする。
さらにＭＰＵ４１は、初期化処理として、入出力ＩＦ４５を介してイネーブル信号ＥＮをディスエーブルとする。
【００６９】
さらにＭＰＵ４１は、右端子ＴＲの端子番号＝１２のｏｕｔ−ｏｔｈｅｒ＿ｒｅｑ端子ＯＯＲを“Ｈ”レベルにセットし、左端子ＴＬの端子番号＝１３のｏｕｔ−ｏｔｈｅｒ＿ｆｉｘ端子ＯＯＦを“Ｈ”レベルにセットする。
【００７０】
続いて、ＭＰＵ４１は、上端子ＴＵについて、端子番号＝０１のｉｎ−ｆｉｘ端子ＩＦが“Ｈ”レベルであるか否かを判別する（ステップＳ３２）。
これは、初期化処理において、他のモニタ装置に接続されている場合には、下端子ＴＤの端子番号＝０１のｏｕｔ−ｆｉｘ端子ＯＦ＝“Ｌ”レベルにセットされているので、端子番号＝０１のｉｎ−ｆｉｘ端子ＩＦが“Ｌ”レベルであるということは、当該モニタ装置より信号系統の上流側にモニタ装置が接続されていると言うことだからである。
【００７１】
したがって、端子番号＝０１のｉｎ−ｆｉｘ端子ＩＦが“Ｌ”レベルである内部回路３１のＭＰＵ４１は（ステップＳ３２；Ｎｏ）、ｉｎ−ｆｉｘ端子ＩＦが“Ｈ”レベルとなるまで接続状態判別を行わずに待機し、当該待機について上下方向の信号系統の上流側のモニタ装置に異常が発生していることに起因しているのかを判別するための所定のタイムアウト時間（例えば、３０秒）が経過したか否かを判別する（ステップＳ３３）。
【００７２】
ステップＳ３３の判別において、未だタイムアウト時間が経過していない場合には（ステップＳ３３；Ｎｏ）、再び処理をステップＳ３２に移行し、待機状態となる。
ステップＳ３３の判別において、タイムアウト時間が経過した場合には（ステップＳ３３；Ｙｅｓ）、当該モニタ装置の上下方向の信号系統の上流側のモニタ装置に異常があったということであるので、当該異常の影響を避けるための異常対処処理を行う（ステップＳ５１〜ステップＳ５３）。
【００７３】
具体的には、内部回路３１のＭＰＵ４１は、右端子ＴＲの端子番号＝１２のｏｕｔ−ｏｔｈｅｒ＿ｒｅｑ端子ＯＯＲを“Ｌ”レベルにセットする（ステップＳ５１）。
続いて、内部回路３１のＭＰＵ４１は、右端子ＴＲの端子番号＝１３のｉｎ−ｏｔｈｅｒ＿ｆｉｘ端子ＩＯＦが“Ｌ”レベルとなったか否か、すなわち、当該ＭＰＵ４１が対応するモニタ装置の右側に位置する他のモニタ装置の左端子ＴＬの端子番号＝１３のｏｕｔ−ｏｔｈｅｒ＿ｆｉｘ端子ＯＯＦが“Ｌ”レベルとなったか否かを判別する（ステップＳ５２）。
【００７４】
これは、当該ＭＰＵ４１が対応するモニタ装置が上下方向の信号系統からの信号が受け取れないことがわかったので、右側に位置する他のモニタ装置が自己の位置情報を取得し終えた（ｏｕｔ−ｏｔｈｅｒ＿ｆｉｘ端子ＯＯＦが“Ｌ”レベルとなる）か否かを判別するための処理である。
【００７５】
したがって、ステップＳ５２の判別において、右端子ＴＲの端子番号＝１３のｉｎ−ｏｔｈｅｒ＿ｆｉｘ端子ＩＯＦが“Ｌ”レベルとなっていない、すなわち、当該ＭＰＵ４１が対応するモニタ装置の右側に位置する他のモニタ装置の左端子ＴＬの端子番号＝１３のｏｕｔ−ｏｔｈｅｒ＿ｆｉｘ端子ＯＯＦが“Ｌ”レベルとなっていない場合には（ステップＳ５２；Ｎｏ）、いまだ右側に位置する他のモニタ装置が自己の位置情報を取得し終えていないので、ＭＰＵ４１は、待機状態となる。
【００７６】
一方、ステップＳ５２の判別において、右端子ＴＲの端子番号＝１３のｉｎ−ｏｔｈｅｒ＿ｆｉｘ端子ＩＯＦが“Ｌ”レベルとなっている、すなわち、当該ＭＰＵ４１が対応するモニタ装置の右側に位置する他のモニタ装置の左端子ＴＬの端子番号＝１３のｏｕｔ−ｏｔｈｅｒ＿ｆｉｘ端子ＯＯＦが“Ｌ”レベルとなった場合には（ステップＳ５２；Ｙｅｓ）、右側に位置する他のモニタ装置が自己の位置情報を取得し終えたということであるので、右端子ＴＲを介して入力される右端子ＴＲの端子番号＝０２のｉｎ―ｂｉｔ０端子ＩＢ０、端子番号＝０３のｉｎ―ｂｉｔ１端子ＩＢ１、端子番号＝０４のｉｎ―ｂｉｔ２端子ＩＢ２及び端子番号＝０５のｉｎ―ｂｉｔ３端子ＩＢ３の信号レベルを、入力回路ＣＡを介してそれぞれ取得し、ＲＡＭ上の内部ｉｎ−ｂｉｔデータ格納領域に対応する値（“Ｈ”ならば“１”、“Ｌ”ならば“０”）をセット（格納）する（ステップＳ３４）。
【００７７】
そして、ＭＰＵ４１は、処理をステップＳ３５に移行する。
一方、ステップＳ３２の判別において、端子番号＝０１のｉｎ−ｆｉｘ端子ＩＦが“Ｈ”レベルであった場合には（ステップＳ３２；Ｙｅｓ）、内部回路３１のＭＰＵ４１は、内部ｉｎ−ｂｉｔデータ格納領域に格納されている値が全て“１”、すなわち、内部ｉｎ−ｂｉｔデータ格納領域に格納されている値が“１１１１”であるか否かを判別する（ステップＳ３５）。
【００７８】
これは、最も上流側に位置するモニタ装置の場合には、さらに上流側にはモニタ装置がつながれていないため、４つの入力回路ＣＡの出力値は全て“Ｈ”となるからであり、したがって、自己が最も上流側に接続されたモニタ装置であるか否かを判別しているのである。
【００７９】
そして、ステップＳ３５の判別において、内部ｉｎ−ｂｉｔデータ格納領域に格納されている値が全て“１”である場合には（ステップＳ３５；Ｙｅｓ）、自己のモニタの上流側に直列に接続されているモニタ装置数が０台であるので、内部ｉｎ−ｂｉｔデータ格納領域に格納されている値を“００００”として（ステップＳ３６）、処理をステップＳ３７に移行する。
【００８０】
これに対して、ステップＳ３５の判別において、内部ｉｎ−ｂｉｔデータ格納領域に格納されている値が全て“１”ではない場合には（ステップＳ３５；Ｎｏ）、内部回路３１のＭＰＵ４１は、内部ｉｎ−ｂｉｔデータ格納領域に格納されている値に１を加算する（ステップＳ３７）。この結果、各モニタ装置の内部ｉｎ−ｂｉｔデータ格納領域に格納されている値は、自己のモニタ装置が上流側から何番目に相当するのかを示す値となる。
【００８１】
次に内部回路３１のＭＰＵ４１は、自己の処理が完了したことを下流側に接続されているモニタ装置に通知するため、下流側のモニタ装置の端子番号＝０１のｉｎ−ｆｉｘ端子ＩＦに接続されている端子番号＝０１のｏｕｔ−ｆｉｘ端子ＯＦの信号レベルを出力回路ＣＣを介して“Ｈ”レベルとする（ステップＳ３８）。この結果、対応する下流側のモニタ装置のＭＰＵ４１は、上述したステップＳ３２の判別結果がＹｅｓとなり、処理を開始することとなる。
【００８２】
続いて内部回路３１のＭＰＵ４１は、下流側のモニタ装置が接続される可能性がある端子番号＝１１のｉｎ−ｎｅｘｔ端子ＩＮＸが“Ｈ”レベルか否かを判別する（ステップＳ３９）。
【００８３】
ステップＳ３９の判別において端子番号＝１１のｉｎ−ｎｅｘｔ端子ＩＮＸが“Ｈ”レベルである場合には（ステップＳ３９；Ｙｅｓ）、内部回路３１のＭＰＵ４１は、自己が最下流側のモニタ装置であるので、当該信号系統におけるモニタ装置の全数が把握できたものとして、内部ｉｎ−ｂｉｔデータ格納領域に格納されている値を、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３にそれぞれ対応する１ｂｉｔを設定する（ステップＳ４０）。
【００８４】
続いて、内部回路３１のＭＰＵ４１は、当該信号系統におけるモニタ装置の接続台数のカウント処理が終了したことを示すために、端子番号＝１０のｍａｘ−ｆｉｘ端子ＭＦ＝“Ｌ”とする（ステップＳ４１）。なお、この時点では、イネーブル信号ＥＮがディスエーブルのため、端子番号＝１０のｍａｘ−ｆｉｘ端子ＭＦは、出力禁止状態となっている。
そして、モニタ装置のＭＰＵ４１は、イネーブル信号ＥＮをイネーブルにセットし（ステップＳ４２）、処理をステップＳ４５に移行する。
この結果、端子番号＝１０のｍａｘ−ｆｉｘ端子ＭＦは、出力許可状態となり、ステップＳ４１で設定された“Ｌ”レベルの信号が出力される。
【００８５】
一方、ステップＳ３９の判別において端子番号＝１１のｉｎ−ｎｅｘｔ端子ＩＮＸが“Ｌ”レベルである場合には（ステップＳ３９；Ｎｏ）、当該内部回路３１が設けられたモニタ装置は、信号系統の下流側に他のモニタ装置が接続されていることを示しているので、内部回路３１のＭＰＵ４１は、全ての下流側に接続された全ての他の当該信号系統におけるモニタ装置の接続台数のカウント処理中であるか否かを判別するために、端子番号＝１０のｍａｘ−ｆｉｘ端子ＭＦ＝“Ｈ”であるか否かを判別する（ステップＳ４３）。
【００８６】
ステップＳ４３の判別において、端子番号＝１０のｍａｘ−ｆｉｘ端子ＭＦ＝“Ｈ”である場合には（ステップＳ４３；Ｙｅｓ）、内部回路３１のＭＰＵ４１は、下流側に接続された全ての他のモニタ装置のうちいずれかが、当該信号系統におけるモニタ装置の接続台数のカウント処理中であるので待機状態となる。
【００８７】
一方、端子番号＝１０のｍａｘ−ｆｉｘ端子ＭＦ＝“Ｌ”である場合には（ステップＳ４３；Ｎｏ）、下流側に接続された全ての他のモニタ装置について当該信号系統におけるモニタ装置の接続台数のカウント処理が終了したということであるので、内部回路３１のＭＰＵ４１は、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３の信号レベルを、入出力回路ＣＢを介してそれぞれ取得し、ＲＡＭ上のｍａｘ−ｂｉｔデータ格納領域に対応する値（“Ｈ”ならば“１”、“Ｌ”ならば“０”）をセット（格納）する（ステップＳ４４）。
【００８８】
そして、内部回路３１のＭＰＵ４１は、内部ｍａｘ−ｂｉｔデータ格納領域に格納した内部ｍａｘ−ｂｉｔデータに対応する値を総モニタ数データとし、内部ｉｎ−ｂｉｔデータ格納領域に格納した内部ｉｎ−ｂｉｔデータに対応する値をモニタ位置データとして、通信ＩＦ４４、画像処理部２２及び画像入力端子ＴＧを介して画像出力装置に伝送（出力）する（ステップＳ４５）。これにより、画像出力装置１２は、総モニタ数データ及びモニタ位置データが入力された画像入力端子ＴＧに対して、対応する表示画像の位置を確定し、当該画像入力端子ＴＧに対して対応する画像データを出力することとなる。
【００８９】
次に内部回路３１のＭＰＵ４１は、左端子ＴＬの端子番号＝１２のｉｎ−ｏｔｈｅｒ＿ｒｅｑ端子ＩＯＲが“Ｌ”レベルであるか否かを判別する（ステップＳ４６）。これは、左右方向の信号系統の左側に隣接配置されたモニタ装置のＭＰＵが異常を検出しているか否かを判別するための処理である。
【００９０】
従って、ステップＳ４６の判別において、左端子ＴＬの端子番号＝１２のｉｎ−ｏｔｈｅｒ＿ｒｅｑ端子ＩＯＲが“Ｌ”レベルである場合には（ステップＳ４６；Ｙｅｓ）、左側に隣接して設けられているモニタ装置の上下方向の信号系統の上流側のモニタ装置に異常があり、左側に隣接して設けられているモニタ装置が異常の影響を避けるための異常対処処理を行っているということであるので、異常処理に必要なデータを出力するため、内部回路３１のＭＰＵ４１は、内部ｉｎ−ｂｉｔデータ格納領域に格納した内部ｉｎ−ｂｉｔデータを、左端子ＴＬの端子番号＝０２〜０５のｏｕｔ−ｂｉｔ端子ＯＢ０〜ｏｕｔ−ｂｉｔ端子ＯＢ３にセットする（ステップＳ４７）。
【００９１】
そして、これらの値を出力するために、左端子ＴＬの端子番号＝１３のｏｕｔ−ｏｔｈｅｒ＿ｆｉｘ端子ＯＯＦを“Ｌ”レベルにセットすることとなる。
【００９２】
以上の説明のように、上下方向の信号系統の上流側のモニタ装置が異常であることを検出した内部回路３１のＭＰＵ４１は、左右方向の信号系統の上流側のモニタ装置から情報を取得することで、上下方向の信号系統の上流側のモニタ装置の異常の影響を抑制して、当該内部回路３１のＭＰＵ４１に対応するモニタ装置の上下方向の位置を取得することが可能となる。
【００９３】
次に左右方向の信号系統の内部回路の処理について図１３及び図１５を参照して説明する。
まず内部回路３１のＭＰＵ４１は、左右方向の信号系統の処理において、初期化処理を行う（ステップＳ６１）。
初期化処理として、ＭＰＵ４１は、入出力ＩＦ４５を介して対応する出力回路ＣＣを制御し、左端子ＴＬの端子番号＝０１のｏｕｔ−ｆｉｘ端子ＯＦ＝“Ｌ”レベルにセットする。
【００９４】
また、ＭＰＵ４１は、初期化処理として、入出力ＩＦ４５を介して対応する出力回路ＣＣを制御し、左端子ＴＬの端子番号＝０２のｏｕｔ―ｂｉｔ０端子ＯＢ０、端子番号＝０３のｏｕｔ―ｂｉｔ１端子ＯＢ１、端子番号＝０４のｏｕｔ―ｂｉｔ２端子ＯＢ２及び端子番号＝０５のｏｕｔ―ｂｉｔ３端子ＯＢ３を“Ｌ” レベルにセットする。
さらにＭＰＵ４１は、初期化処理として、入出力ＩＦ４５を介してイネーブル信号ＥＮをディスエーブルとする。
【００９５】
さらにＭＰＵ４１は、上端子ＴＵの端子番号＝１２のｏｕｔ−ｏｔｈｅｒ＿ｒｅｑ端子ＯＯＲを“Ｈ”レベルにセットし、下端子ＴＤの端子番号＝１３のｏｕｔ−ｏｔｈｅｒ＿ｆｉｘ端子ＯＯＦを“Ｈ”レベルにセットする。
【００９６】
続いて、ＭＰＵ４１は、右端子ＴＲについて、端子番号＝０１のｉｎ−ｆｉｘ端子ＩＦが“Ｈ”レベルであるか否かを判別する（ステップＳ６２）。
これは、初期化処理において、他のモニタ装置に接続されている場合には、左端子ＴＬの端子番号＝０１のｏｕｔ−ｆｉｘ端子ＯＦ＝“Ｌ”レベルにセットされているので、端子番号＝０１のｉｎ−ｆｉｘ端子ＩＦが“Ｌ”レベルであるということは、当該モニタ装置より左右方向の信号系統の上流側にモニタ装置が接続されていると言うことだからである。
【００９７】
したがって、端子番号＝０１のｉｎ−ｆｉｘ端子ＩＦが“Ｌ”レベルである内部回路３１のＭＰＵ４１は（ステップＳ６２；Ｎｏ）、ｉｎ−ｆｉｘ端子ＩＦが“Ｈ”レベルとなるまで接続状態判別を行わずに待機し、当該待機について左右方向の信号系統の上流側のモニタ装置に異常が発生していることに起因しているのかを判別するための所定のタイムアウト時間（例えば、３０秒）が経過したか否かを判別する（ステップＳ６３）。
【００９８】
ステップＳ６３の判別において、未だタイムアウト時間が経過していない場合には（ステップＳ６３；Ｎｏ）、再び処理をステップＳ６２に移行し、待機状態となる。
ステップＳ６３の判別において、タイムアウト時間が経過した場合には（ステップＳ６３；Ｙｅｓ）、当該モニタ装置の左右方向の信号系統の上流側のモニタ装置に異常があったということであるので、当該異常の影響を避けるための異常対処処理を行う（ステップＳ８１〜ステップＳ８３）。
【００９９】
具体的には、内部回路３１のＭＰＵ４１は、上端子ＴＵの端子番号＝１２のｏｕｔ−ｏｔｈｅｒ＿ｒｅｑ端子ＯＯＲを“Ｌ”レベルにセットする（ステップＳ８１）。
これにより、内部回路３１のＭＰＵ４１は、上端子ＴＵの端子番号＝１３のｉｎ−ｏｔｈｅｒ＿ｆｉｘ端子ＩＯＦが“Ｌ”レベルとなったか否か、すなわち、当該ＭＰＵ４１が対応するモニタ装置の上側に位置する他のモニタ装置の下端子ＴＤの端子番号＝１３のｏｕｔ−ｏｔｈｅｒ＿ｆｉｘ端子ＯＯＦが“Ｌ”レベルとなったか否かを判別する（ステップＳ８２）。
【０１００】
これは、当該ＭＰＵ４１が対応するモニタ装置が左右方向の信号系統からの信号が受け取れないことがわかったので、上側に位置する他のモニタ装置が自己の位置情報を取得し終えた（ｏｕｔ−ｏｔｈｅｒ＿ｆｉｘ端子ＯＯＦが“Ｌ”レベルとなる）か否かを判別するための処理である。
【０１０１】
したがって、ステップＳ８２の判別において、上端子ＴＵの端子番号＝１３のｉｎ−ｏｔｈｅｒ＿ｆｉｘ端子ＩＯＦが“Ｌ”レベルとなっていない場合、すなわち、当該ＭＰＵ４１が対応するモニタ装置の上側に位置する他のモニタ装置の下端子ＴＤの端子番号＝１３のｏｕｔ−ｏｔｈｅｒ＿ｆｉｘ端子ＯＯＦが“Ｌ”レベルとなっていない場合には（ステップＳ８２；Ｎｏ）、いまだ上側に位置する他のモニタ装置が自己の位置情報を取得し終えていないので、ＭＰＵ４１は、待機状態となる。
【０１０２】
一方、ステップＳ８２の判別において、当該ＭＰＵ４１が対応するモニタ装置の上側に位置する他のモニタ装置の左端子ＴＬの端子番号＝１３のｏｕｔ−ｏｔｈｅｒ＿ｆｉｘ端子ＯＯＦが“Ｌ”レベルとなった場合には（ステップＳ８２；Ｙｅｓ）、上側に位置する他のモニタ装置が自己の位置情報を取得し終えたということであるので、上端子ＴＵを介して入力される、上端子ＴＵの端子番号＝０２のｉｎ―ｂｉｔ０端子ＩＢ０、端子番号＝０３のｉｎ―ｂｉｔ１端子ＩＢ１、端子番号＝０４のｉｎ―ｂｉｔ２端子ＩＢ２及び端子番号＝０５のｉｎ―ｂｉｔ３端子ＩＢ３の信号レベルを、入力回路ＣＡを介してそれぞれ取得し、ＲＡＭ上の内部ｉｎ−ｂｉｔデータ格納領域に対応する値（“Ｈ”ならば“１”、“Ｌ”ならば“０”）をセット（格納）する（ステップＳ８３）。
【０１０３】
そして、ＭＰＵ４１は、処理をステップＳ６５に移行する。
一方、ステップＳ６２の判別において、端子番号＝０１のｉｎ−ｆｉｘ端子ＩＦが“Ｈ”レベルであった場合には（ステップＳ６２；Ｙｅｓ）、内部回路３１のＭＰＵ４１は、内部ｉｎ−ｂｉｔデータ格納領域に格納されている値が全て“１”、すなわち、内部ｉｎ−ｂｉｔデータ格納領域に格納されている値が“１１１１”であるか否かを判別する（ステップＳ６５）。
【０１０４】
これは、最も上流側に位置するモニタ装置の場合には、さらに上流側にはモニタ装置がつながれていないため、４つの入力回路ＣＡの出力値は全て“Ｈ”となるからであり、したがって、自己が最も上流側に接続されたモニタ装置であるか否かを判別しているのである。
【０１０５】
そして、ステップＳ６５の判別において、内部ｉｎ−ｂｉｔデータ格納領域に格納されている値が全て“１”である場合には（ステップＳ６５；Ｙｅｓ）、自己のモニタの上流側に直列に接続されているモニタ装置数が０台であるので、内部ｉｎ−ｂｉｔデータ格納領域に格納されている値を“００００”として（ステップＳ６６）、処理をステップＳ６７に移行する。
【０１０６】
これに対して、ステップＳ６５の判別において、内部ｉｎ−ｂｉｔデータ格納領域に格納されている値が全て“１”ではない場合には（ステップＳ６５；Ｎｏ）、内部回路３１のＭＰＵ４１は、内部ｉｎ−ｂｉｔデータ格納領域に格納されている値に１を加算する（ステップＳ６７）。この結果、各モニタ装置の内部ｉｎ−ｂｉｔデータ格納領域に格納されている値は、自己のモニタ装置が上流側から何番目に相当するのかを示す値となる。
【０１０７】
次に内部回路３１のＭＰＵ４１は、自己の処理が完了したことを下流側に接続されているモニタ装置に通知するため、下流側のモニタ装置の端子番号＝０１のｉｎ−ｆｉｘ端子ＩＦに接続されている端子番号０１のｏｕｔ−ｆｉｘ端子ＯＦの信号レベルを第２出力回路ＣＣを介して“Ｈ”レベルとする（ステップＳ６８）。この結果、対応する下流側のモニタ装置のＭＰＵ４１は、上述したステップＳ６２の判別結果がＹｅｓとなり、処理を開始することとなる。
【０１０８】
続いて内部回路３１のＭＰＵ４１は、下流側のモニタ装置が接続される可能性がある端子番号１１のｉｎ−ｎｅｘｔ端子ＩＮＸが“Ｈ”レベルか否かを判別する（ステップＳ６９）。
【０１０９】
ステップＳ６９の判別において端子番号＝１１のｉｎ−ｎｅｘｔ端子ＩＮＸが“Ｈ”レベルである場合には（ステップＳ６９；Ｙｅｓ）、内部回路３１のＭＰＵ４１は、自己が最下流側のモニタ装置であるので、当該信号系統におけるモニタ装置の全数が把握できたものとして、内部ｉｎ−ｂｉｔデータ格納領域に格納されている値を、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３にそれぞれ対応する１ｂｉｔを設定する（ステップＳ７０）。
【０１１０】
続いて、内部回路３１のＭＰＵ４１は、当該左右方向の信号系統におけるモニタ装置の接続台数のカウント処理が終了したことを示すために、端子番号＝１０のｍａｘ−ｆｉｘ端子ＭＦ＝“Ｌ”とする（ステップＳ７１）。なお、この時点では、イネーブル信号ＥＮがディスエーブルのため、端子番号＝１０のｍａｘ−ｆｉｘ端子ＭＦは、出力禁止状態となっている。
【０１１１】
そして、モニタ装置のＭＰＵ４１は、イネーブル信号ＥＮをイネーブルにセットし（ステップＳ７２）、処理をステップＳ７５に移行する。
この結果、端子番号＝１０のｍａｘ−ｆｉｘ端子ＭＦは、出力許可状態となり、ステップＳ７１で設定された“Ｌ”レベルの信号が出力される。
【０１１２】
一方、ステップＳ６９の判別において端子番号＝１１のｉｎ−ｎｅｘｔ端子ＩＮＸが“Ｌ”レベルである場合には（ステップＳ６９；Ｎｏ）、当該内部回路３１が設けられたモニタ装置は、信号系統の下流側に他のモニタ装置が接続されていることを示しているので、内部回路３１のＭＰＵ４１は、全ての下流側に接続された全ての他の当該信号系統におけるモニタ装置の接続台数のカウント処理中であるか否かを判別するために、端子番号＝１０のｍａｘ−ｆｉｘ端子ＭＦ＝“Ｈ”であるか否かを判別する（ステップＳ７３）。
【０１１３】
ステップＳ７３の判別において、端子番号＝１０のｍａｘ−ｆｉｘ端子ＭＦ＝“Ｈ”である場合には（ステップＳ７３；Ｙｅｓ）、内部回路３１のＭＰＵ４１は、下流側に接続された全ての他のモニタ装置のうちいずれかが、当該信号系統におけるモニタ装置の接続台数のカウント処理中であるので待機状態となる。
【０１１４】
一方、端子番号＝１０のｍａｘ−ｆｉｘ端子ＭＦ＝“Ｌ”である場合には（ステップＳ７３；Ｎｏ）、下流側に接続された全ての他のモニタ装置について当該信号系統におけるモニタ装置の接続台数のカウント処理が終了したということであるので、内部回路３１のＭＰＵ４１は、端子番号＝０６のｍａｘ−ｂｉｔ０端子ＭＢ０、端子番号＝０７のｍａｘ−ｂｉｔ１端子ＭＢ１、端子番号＝０８のｍａｘ−ｂｉｔ２端子ＭＢ２及び端子番号＝０９のｍａｘ−ｂｉｔ３端子ＭＢ３の信号レベルを、入出力回路ＣＢを介してそれぞれ取得し、ＲＡＭ上のｍａｘ−ｂｉｔデータ格納領域に対応する値（“Ｈ”ならば“１”、“Ｌ”ならば“０”）をセット（格納）する（ステップＳ７４）。
【０１１５】
そして、内部回路３１のＭＰＵ４１は、内部ｍａｘ−ｂｉｔデータ格納領域に格納した内部ｍａｘ−ｂｉｔデータに対応する値を総モニタ数データとし、内部ｉｎ−ｂｉｔデータ格納領域に格納した内部ｉｎ−ｂｉｔデータに対応する値をモニタ位置データとして、通信ＩＦ４４、画像処理部２２及び画像入力端子ＴＧを介して画像出力装置に伝送（出力）する（ステップＳ７５）。これにより、画像出力装置１２は、総モニタ数データ及びモニタ位置データが入力された画像入力端子ＴＧに対して、対応する表示画像の位置を確定し、当該画像入力端子ＴＧに対して対応する画像データを出力することとなる。
【０１１６】
次に内部回路３１のＭＰＵ４１は、左端子ＴＬの端子番号＝１２のｉｎ−ｏｔｈｅｒ＿ｒｅｑ端子ＩＯＲが“Ｌ”レベルであるか否かを判別する（ステップＳ７６）。これは、左右方向の信号系統の左側に隣接配置されたモニタ装置のＭＰＵが異常を検出しているか否かを判別するための処理である。
【０１１７】
従って、ステップＳ７６の判別において、左端子ＴＬの端子番号＝１２のｉｎ−ｏｔｈｅｒ＿ｒｅｑ端子ＩＯＲが“Ｌ”レベルである場合には（ステップＳ７６；Ｙｅｓ）、左側に隣接して設けられているモニタ装置の左右方向の信号系統の上流側のモニタ装置に異常があり、下側に隣接して設けられているモニタ装置が異常の影響を避けるための異常対処処理を行っているということであるので、異常処理に必要なデータを出力するため、内部回路３１のＭＰＵ４１は、内部ｉｎ−ｂｉｔデータ格納領域に格納した内部ｉｎ−ｂｉｔデータを、左端子ＴＬの端子番号＝０２〜０５のｏｕｔ−ｂｉｔ端子ＯＢ０〜ｏｕｔ−ｂｉｔ端子ＯＢ３にセットする（ステップＳ７７）。
【０１１８】
そして、これらの値を出力するために、左端子ＴＬの端子番号＝１３のｏｕｔ−ｏｔｈｅｒ＿ｆｉｘ端子ＯＯＦを“Ｌ”レベルにセットすることとなる（ステップＳ７８）。
【０１１９】
以上の説明のように、左右方向の信号系統の上流側のモニタ装置が異常であることを検出した内部回路３１のＭＰＵ４１は、上下方向の信号系統の上流側のモニタ装置から情報を取得することで、左右方向の信号系統の上流側のモニタ装置の異常の影響を抑制して、当該内部回路３１のＭＰＵ４１に対応するモニタ装置の左右方向の位置を取得することが可能となる。
【０１２０】
図１６〜図１９は、第２実施形態の効果を説明する図である。
図１６は、画像表示例の説明図である。
図１７は、不良モニタ装置の位置を説明する図である。
以下の説明においては、便宜上、上下方向で同一位置に配置された複数のモニタ装置の配置位置を「行」と表現し、左右方向で同一位置に配置された複数のモニタ装置の配置位置を「列」と表現する。すなわち、ｍ×ｎ個のモニタ装置は、ｍ行、ｎ列に配置されているものとする。
【０１２１】
モニタ装置１１−１１〜１１−４３の３×４＝１２台のモニタ装置を用いて、図１６に示すような画像を表示しようとした場合に、図１７に示すように、モニタ装置１１−３２が不良で位置情報の伝送ができない場合、モニタ装置１１−３２が含まれる行及び列に配置された他のモニタ装置１１−１２、１１−２２、１１−４２、１１−３１、１１−３３の５台のモニタ装置は、第１実施形態の処理の場合には、信号伝送路が途中で断ち切られているため、自己位置を検出することができない。
【０１２２】
図１８は、表示不具合例の説明図である。
この結果、図１８に示すように、画像出力装置１２は、モニタ装置１１−３２、１１−１２、１１−２２、１１−４２、１１−３１、１１−３３の６台のモニタ装置に送信すべき画像データを特定することができないため、それら６台のモニタ装置１１−３２、１１−１２、１１−２２、１１−４２、１１−３１、１１−３３は表示が行えない事となってしまうおそれがあった。
【０１２３】
これに対し、本第２実施形態によれば、上下方向の信号系統にモニタ装置１１−３２が含まれているモニタ装置１１−３１及びモニタ装置１１−３３は、それぞれ自己が属している左右方向の信号系統のモニタ装置１１−２１、１１−２３から上下方向の位置情報を取得して、自己位置を検出することができるため、正しい自己位置を画像出力装置１２に通知することができる。
【０１２４】
同様に左右方向の信号系統にモニタ装置１１−３２が含まれているモニタ装置１１−１２、モニタ装置１１−２２及びモニタ装置１１−４２は、それぞれ自己が属している上下方向の信号系統のモニタ装置１１−１１、１１−２１、１１−４１から左右方向の位置情報を取得して、自己位置を検出することができるため、正しい自己位置を画像出力装置１２に通知することができる。
【０１２５】
図１９は、第２実施形態の表示例の説明図である。
これらの結果、画像出力装置１２に正しい自己の位置情報を取得できないのは、不良であるモニタ装置１１−３２のみとなり、図１９に示すように、モニタ装置１１−３２以外の他のモニタ装置は、正常に自己位置を画像出力装置１２に通知できる。
【０１２６】
したがって、本第２実施形態においても、画像出力装置１２は、自己の画像出力端子に対して予めモニタ装置１１−１１〜１１−４３のいずれを接続するかを予め定めることなく、画像ケーブルＧＣの接続先を任意としても、画像ケーブルＧＣを介して画像出力端子のそれぞれについて対応するモニタ装置１１−３２を除くモニタ装置１１−１１〜１１−４３により出力されるモニタ総数データ及びモニタ位置データに基づいて、対応する画像データを出力することができ、正常のモニタ装置に対して正しい表示が行える。
【０１２７】
さらに、モニタシステムの設置及びメンテナンス作業者は、容易に異常であるモニタ装置１１−３２を把握して、対処が可能となり、設置作業あるいはメンテナンス作業に要する時間を短縮できる。
【０１２８】
本実施形態のモニタ装置は、ＭＰＵなどの制御装置と、ＲＯＭ（Read  Only  Memory）やＲＡＭなどの記憶装置と、ディスプレイ装置などの表示装置と、入出力ＩＦなどの入力装置を備えており、通常のコンピュータを利用したハードウェア構成となっている。
【０１２９】
本実施形態のモニタ装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１３０】
また、本実施形態のモニタ装置で実行されるプログラムを、インターネット等のネットワークに接続されたコンピュータ上に格納し、ネットワーク経由でダウンロードさせることにより提供するように構成しても良い。また、本実施形態のモニタ装置で実行されるプログラムをインターネット等のネットワーク経由で提供または配布するように構成しても良い。
また、本実施形態のモニタ装置のプログラムを、ＲＯＭ等に予め組み込んで提供するように構成してもよい。
【０１３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３２】
例えば、以上の説明においては、左右方向の信号系統において、右側を信号系統の上流側とし、上下方向の信号系統において、上側を信号系統の上流側としていたが、画像出力装置との整合が図れて入れば、左側あるいは下側を信号系統の上流側とすることも可能である。
【０１３３】
また、以上の説明においては、ｉｎ−ｂｉｔ端子、ｏｕｔ−ｂｉｔ端子及びｍａｘ−ｂｉｔｏについては、それぞれ４ビットの表現が可能な（最大モニタ数＝１５台）４個の端子、ｉｎ−ｂｉｔ０端子ＩＢ０〜ｉｎ−ｂｉｔ３端子ＩＢ３、ｏｕｔ−ｂｉｔ端子ＯＢ０〜ｏｕｔ−ｂｉｔ３端子ＯＢ３及びｍａｘ−ｂｉｔ端子０端子ＭＢ０〜ｍａｘ−ｂｉｔ端子３端子ＭＢ３の場合について説明したが、左右方向のモニタ装置の数ｎの最大数及び上下方向のモニタ装置の数ｍの最大数を表現可能なビット数に相当する端子数とすることが可能である。例えば、ｎ＝３、ｍ＝６０の場合には、左右方向には最低限２ビットに相当する端子数２とし、上下方向には最低限６ビットに相当する端子数６とすれば良い。
【０１３４】
また、以上の説明においては、データをビット毎に専用の端子を用いたパラレル接続としていたが、時系列にビット伝送を行うシリアル接続とすることも可能である。
また、以上の説明においては、ｉｎ−  ｂｉｔ端子とｍａｘｂｉｔ端子、あるいは、ｏｕｔ−ｂｉｔ端子とｍａｘｂｉｔ端子、を別個に設けていたが、対応するｍａｘｂｉｔ端子とｉｎ−ｂｉｔ端子あるいはｏｕｔ−ｂｉｔ端子とは、同時に使用されることはないので、時系列で切り替えて用いるように構成することも可能である。
【０１３５】
以上の説明においては、ｎ×ｍ個（ｎ：自然数、ｍ：自然数）のモニタを用いたマルチモニタシステムを前提としていたため、ｎ＝ｍ＝１の場合を除いていたが、単一のモニタ装置であっても、画像出力装置１２に対して、モニタ装置が一つであることを通知することができるため、同様の処理が可能となっている。
【０１３６】
また、以上の説明においては、接続状態判別部２１と、画像処理部２２と、を別体に設けていたが、一体のマイクロコンピュータとして構成することも可能である。なお、この場合には、通信インタフェース４４を設ける必要はない。
また、以上の説明においては、ｍ×ｎ個のモニタ装置の表示画面を二次元的な平面上に配置していたが、曲面上に配置するように構成することも可能である。
以上の説明においては、上端子ＴＵと下端子ＴＤとの間及び右端子ＴＲと左端子ＴＬとの間を接続ケーブルで接続する構成を採っていたが、上端子ＴＵ、下端子ＴＤ、右端子ＴＲ及び左端子ＴＬをそれぞれモニタ装置の上面、下面、右面及び左面に設け、互いに対応する端子を直接接続するように構成することも可能である。
【符号の説明】
【０１３７】
１０    マルチモニタシステム
１１−１１〜１１ｎｍ    モニタ装置
１１Ｘ  モニタ部
１２    画像出力装置
２１    接続状態判別部
２２    画像処理部
３１    内部回路
４１    ＭＰＵ
４２    ＲＯＭ
４３    ＲＡＭ
４４    通信ＩＦ
ＣＡ    入力回路
ＣＢ    入出力回路
ＣＣ    出力回路
ＣＮ    接続ケーブル
ＥＮ    イネーブル信号
ＧＣ    画像ケーブル
ＩＦ    ｉｎ−ｆｉｘ端子
ＩＦ    ｏｕｔ−ｆｉｘ端子
ＩＮＸ  ｉｎ−ｎｅｘｔ端子
ＩＢ０〜ＩＢ３  ｉｎ−ｂｉｔ０端子〜ｉｎ−ｂｉｔ３端子
ＭＢ０〜ＭＢ３  ｍａｘ−ｂｉｔ０端子〜ｍａｘ−ｂｉｔ３端子
ＯＢ０〜ＯＢ３  ｏｕｔ−ｂｉｔ０端子〜ｏｕｔ−ｂｉｔ３端子
ＴＧ１〜ＴＧ１０  画像出力端子
ＩＯＦ  ｉｎ−ｏｔｈｅｒ＿ｆｉｘ端子
ＩＯＲ  ｉｎ−ｏｔｈｅｒ＿ｒｅｑ端子
ＭＦ    ｍａｘ−ｆｉｘ端子
ＯＦ    ｏｕｔ−ｆｉｘ端子
ＯＯＦ  ｏｕｔ−ｏｔｈｅｒ−ｆｉｘ端子
ＯＯＲ  ｏｕｔ−ｏｔｈｅｒ−ｒｅｑ端子
ＴＤ    下端子
ＴＧ    画像入力端子
ＴＬ    左端子
ＴＲ    右端子
ＴＵ    上端子
【図１】
2016102892.tif 000003
【図２】
2016102892.tif 000004
【図３】
2016102892.tif 000005
【図４】
2016102892.tif 000006
【図５】
2016102892.tif 000007
【図６】
2016102892.tif 000008
【図７】
2016102892.tif 000009
【図８】
2016102892.tif 000010
【図９】
2016102892.tif 000011
【図１０】
2016102892.tif 000012
【図１１】
2016102892.tif 000013
【図１２】
2016102892.tif 000014
【図１３】
2016102892.tif 000015
【図１４】
2016102892.tif 000016
【図１５】
2016102892.tif 000017
【図１６】
2016102892.tif 000018
【図１７】
2016102892.tif 000019
【図１８】
2016102892.tif 000020
【図１９】
2016102892.tif 000021